(57)【特許請求の範囲】
【請求項１】
遮光部材でなる白色の基台と該基台の上面に配置された遮光部材でなる白色の蓋部材とを設け、前記基台の上面及び前記蓋部材の上面に歯科用修復材の載置部を設け、前記基台の底部に該基台を保持する保持部材を設け、
前記基台には前記蓋部材を摺動可能に案内するガイド部を形成し、前記蓋部材には前記ガイド部にスライド可能に案内される被ガイド部を形成し、前記蓋部材のスライド移動によって前記基台の上面を開閉し、
前記基台の上面には前記歯科用修復材として光硬化性のステイン材を載置し、前記蓋部材の表面にはコンポジットレジンを載置するようにしたことを特徴とする歯科用パレット。
【請求項２】
前記保持部材は前記基台の底面に付着した粘着テープとし、該粘着テープを多層に配設するようにしたことを特徴とする請求項１記載の歯科用パレット。
【請求項３】
前記保持部材は前記基台の底部に指の周囲に係合可能なリングを取付けるようにしたことを特徴とする請求項１記載の歯科用パレット。
【発明の詳細な説明】
【技術分野】
【０００１】
本発明は、光硬化性低粘度レジンのような光変性材料を極力光りから保護することができる歯科用パレットに関する。
【背景技術】
【０００２】
歯科治療では、歯牙および口腔組織の欠損部の補修や補綴を行う際、歯科医師がコンポジットレジン（以後、ＣＲと表記することもある）の充填を上記欠損部や補修個所に直接的に行う治療方向（直接法）や、歯科医師が患者口腔内の印象を採得し、その印象に石膏を流して模型を作製し、その模型上で歯科技工士が光硬化型レジンを用いて口腔内欠損部の補綴物を作製し、その補綴物を歯科医師が患者の口腔内に装着する治療方法（間接法）などがある。
それらの治療において、患者の審美的な要求に答える為に、歯科医師や歯科技工士は、補綴部位や補綴物の色調を、患者自身の歯牙や口腔組織の色調に近づける。その色調調整方法の一つに、ステイニング法がある。ステイニング法にはセラミックス材料やレジン材料における術式があるが、特に光硬化型レジン材料におけるステイニング法は、様々な色の光硬化性低粘度レジン（ステイン材、歯科充填用色調調整材、高分子系歯冠用着色材料、歯冠用硬質レジンなど）を塗布することで、補綴部位や補綴物の色調を調整する方法である。
【０００３】
その材料の使用法は、患者の歯牙の色調に適合させるため、複数色のＣＲステイン材を練和紙やパレット上に取り出す。そして、そのままの色を用い、または混ぜ合わせることで微妙な調節を行い、筆や探針などを用いて目的部分に塗布する。使用しないときは、遮光性のあるカバーで覆い、ＣＲステイン材を硬化しないようにする。
下記の特許文献１の技術によると、ディスペンサー容器として、ほぼ立方体形状の柔軟な部材を用い、ディスペンサー容器の上面に底面方向へ延びるスリットを形成している。スリットには、歯科用の低粘度材料を供給し、筆の先端をスリットに差し込み、低粘度材料を取出すようにしている。
【特許文献１】特表２００７−５０５７０９号公報
【発明の開示】
【発明が解決しようとする課題】
【０００４】
上述したように、コンポジットレジンを用いた審美修復が取り上げられるようになり、今後主流になる可能性がある。修復には数種類の色調を使用し、さらには色調を確認するために、マイクロスコープを用いることがある。マイクロスコープを使用した場合、手元から目を離しチェアサイドに載置したペーストを採取するなり、再度手元を確認した場合、焦点が合わず非常に目が疲れるといった問題点がある。この問題点を解決するために、手元（ラテックスグローブなど）に歯科充填材料を載置し、目の疲れを防止するなどを行なっている。しかしながら、ラテックスグローブには異物が付着することがあり、衛生上好ましくない。
一方、上記特許文献１の技術では、ディスペンサー容器のスリットの奥深くに歯科用充填材料が入り込むので、スリットの奥では所望とする色調に調整することが困難である。ディスペンサー容器の材料を透明にして、スリット内部の材料の色を確認することもできるが、このような場合は、スリットに光が透過してしまい光硬化性材料を使用することができないといった問題点がある。
【０００５】
本発明はこのような事情に鑑みてなされたものであって、簡便に手元に装着できるパレットを用いることにより、マイクロスコープ焦点の移動を最小限に抑え、且つ衛生上の問題を解決し、さらには、光変性材料の取り扱いができる歯科用パレットを提供することにある。
【課題を解決するための手段】
【０００６】
本発明の遮光パレットは上記目的を達成するために、遮光部材でなる白色の基台と該基台の上面に配置された遮光部材でなる白色の蓋部材とを設け、前記基台の上面及び前記蓋部材の上面に歯科用修復材の載置部を設け、前記基台の底部に該基台を保持する保持部材を設け、前記基台には前記蓋部材を摺動可能に案内するガイド部を形成し、前記蓋部材には前記ガイド部にスライド可能に案内される被ガイド部を形成し、前記蓋部材のスライド移動によって前記基台の上面を開閉し、前記歯科用パレットの前記基台の上面には、前記歯科用修復材として光硬化性のステイン材を載置し、前記蓋部材の表面にはコンポジットレジンを載置するようにした。
上記歯科用パレットの前記保持部材は前記基台の底面に付着した粘着テープとし、該粘着テープを多層に配設するようにした。
上記歯科用パレットの前記保持部材は、前記基台の底部に指の周囲に係合可能なリングを取付けることができる。
【発明の効果】
【０００７】
本発明の歯科用パレットは、遮光部材でなる基台と該基台の上面に配置された遮光部材でなる蓋部材とを設け、前記基台の上面及び前記蓋部材の上面に歯科用修復材の載置部を設け、前記基台の底部に該基台を保持する保持部材を設け、前記基台には前記蓋部材を摺動可能に案内するガイド部を形成し、前記蓋部材には前記ガイド部にスライド可能に案内される被ガイド部を形成し、前記蓋部材のスライド移動によって前記基台の上面を開閉し、
前記基台の上面には前記歯科用修復材として光硬化性のステイン材を載置し、前記蓋部材の表面にはコンポジットレジンを載置するようにしたので、光変性する歯科用材料を長期に貯蔵することができる。また、使用頻度の多いコンポジットレジンは、暗室などに簡易的な保存をするようにし、使用頻度が少ないステイン材については、大きな遮光効果によって長期保存することができる。
上記歯科用パレットは、前記保持部材は前記基台の底面に付着した粘着テープとし、該粘着テープを多層に配設するようにしたので、ラテックスグローブなどに再度の取付けが可能になる。
上記歯科用パレットの前記部材は前記基台の底部に指の周囲に係合可能なリングを取付けるようにしたので、歯科用パレットを確実に指先に保持することができる。
【発明を実施するための最良の形態】
【０００８】
図１は、本発明に係わる歯科用パレットの分解斜視図であり、図２のＡは歯科用パレットの平面図、図２のＢは蓋部材をスライド移動させた状態の歯科用パレットの平面図、図３は正面と一側面を省略した歯科用パレットの４面図である。
歯科用パレット１は、基台２と蓋部材３とから構成されている。
基台２は、ほぼ矩形の板材で形成され、基台２の上面５の中央には基台２の下（裏）面側に窪む矩形のパレット溝６が形成されている。上面５及びパレット溝６の底面となるパレット面６ａは、平坦な面で形成されている。
基台２の下部側に位置する基部２ａから左右両側部に基部２ａよりも外側へ突出する一対のフランジガイド部７ａ，７ｂを設けている。フランジガイド部７ａ，７ｂの横断面形状は、矩形断面である（なお、基部２ａとは、該フランジガイド部７ａ，７ｂが形成されている部分よりも下側の部分である）。
【０００９】
蓋部材３は、板状の上壁９の左右両側部から垂下する左右両側壁１０ａ，１０ｂが設けられ、左右両側壁１０ａ，１０ｂの下部には、互いに対向するように先端部が内側へ突出し、横断面が矩形の内向きフランジ１２ａ，１２ｂを形成している。そして、一方の上壁９、側壁１０ａ及び内向きフランジ１２ａからなる凹所に被ガイド部８ａを形成し、他方の上壁９、側壁１０ｂ及び内向きフランジ１２ｂからなる凹所に被ガイド部８ｂを形成している。
【００１０】
一方の内向きフランジ１２ａと上壁９との間隔ｃは、フランジガイド部７ａの上下方向の厚さｃに等しく、他方の内向きフランジ１２ｂと上壁９との間隔ｃは、フランジガイド部７ｂの上下方向の厚さｃに等しい。また、フランジガイド部７ａ，７ｂの両端間の外幅ｄは、左右両側壁１０ａ，１０ｂの内面間の長さｄと一致させている。
また、向かい合う内向きフランジ１２ａ，１２ｂ間の長さｅは、基部２ａの幅ｅに等しくなるように形成されている。基部２ａの高さｆは、内向きフランジ１２ａ，１２ｂの上下方向の高さｆと一致させている。
【００１１】
したがって、基台２のフランジガイド部７ａ，７ｂに蓋部材３の被ガイド部８ａ，８ｂの凹所を差し込むことによって、基台２に蓋部材３を被せることができ、かつ基台２に対して蓋部材３はフランジガイド部７ａ，７ｂに沿ってスライドするように形成している。必ずしも必要でないが、図３に示すように、蓋部材３のスライド方向の一端側に被ガイド部８ａ，８ｂを閉塞するようなストッパ壁１５を設けてもよい。
必要に応じて、図２のＡ及びＢに示すように、蓋部材の上壁９の上面１１にコンポジットレジンを載置する目標となる複数のマークａ１〜ａ４を記してもよく、図２のＢに示すように、基台２のパレット溝６のパレット面６ａにステイン材を載置する目標となるマークｂ１〜ｂ４を記してもよい。これらのマーク部分は、凹部として設けても良い。
【００１２】
歯科用パレット１の基台２と蓋部材３の材質は、同じ種類のものであってもよく、異種のものであってもよく、合成樹脂、金属、瀬戸物などを使用できる。ただし、光を通さない遮光性を有する物でなければならない。表面と内側とを異なる材料で形成する場合は、内側に透過性の材料を用い、外側に遮光性を有する材料を用いてもよい。また、少なくとも基台２の上面５若しくはパレット溝６のパレット面６ａの材質、及び蓋部材３の上壁９の上面１１は、用いる歯科用材料に影響を及ぼす材料であってはならない。
【００１３】
基台２及び蓋部３の色は任意であるが、白を基調とするものが、歯科用材料の色調を確認して調整するうえで好ましい。歯科用パレット１の大きさについても特に問わないが、マイクロスコープを使用する場合は、見やすいように面積が１ｃｍ２〜２ｃｍ２と小型のものが好ましい。基台２と蓋部３を一体とした状態で、歯科用パレット１の高さは、３〜１０ｍｍのものが好ましい。
図１に示すように、基台２の基部２ａの裏面には、粘着テープ１４が貼着されている。粘着テープ１４は表面に取り剥がしができる保護テープが設けられているものが好ましい。粘着剤としては、アクリル系、ゴム系、シリコーン系などが使用できる。粘着テープ１４は、複数枚が積層されたものを使用し、繰り返しの使用ができるようにしてもよい。
【００１４】
このような、歯科用パレット１は、歯科医師、歯科技工士によって使用される。使用時には、歯科医師が図示しないラテックスグローブを手に被せた状態で、歯科用パレット１の基台２の底面に装着されている粘着テープ１４の保護テープを剥がし、ラテックスグローブの表面に歯科用パレット１を貼り付ける。
本発明の歯科用パレットは、その基台の上面と蓋部材の表面に、コンポジットレジンやステイン材等の種々の光変性する歯科用材料を、自由に載せて効率的に歯牙の治療に供することができる。例えば、歯牙の欠損部の補修するような場合、ペースト状のコンポジットレジンを蓋部材３の上面に載せて行う。このとき、蓋部材３は、基台２を閉塞した状態にある。
【００１５】
このような場合に、歯科医師が、マイクロスコープを使用して治療を行っていても、歯科医師の手の上に歯科用パレット１があるので、通常はマイクロスコープの焦点に合った見やすい位置に歯科用パレット１が位置する。たとえラテックスグローブを装着した手の位置が離れていても手を移動して、歯科医師の見やすい位置に歯科用パレット１の移動ができる。こうして、コンポジットレジンの色調の確認をマイクロスコープの見やすい位置で快適に行える。例えば、治療する患者の口腔の近くに歯科用パレット１を移動させれば、コンポジットレジンを充填する部位の周囲の歯牙の色調と対比しながら、これにあったコンポジットレジンの色調の確認がし易い。このようにして色調を確認し選定されたコンポ十とレジンを歯牙の欠損部に充填した後、コンポジットレジンに光を照射し光硬化させる。
このように、コンポジットレジンを欠損部に充填して硬化させて、該コンポジットレジンによる欠損部の治療が終了する。
【００１６】
その後、さらなる患者の審美的な要求に答えるために、歯科医師は、硬化したコンポジットレジンを、患者自身の歯牙や口腔組織の色調に近づける。そのためにステイン材が用いられる、ステイン材は、例えば、患者の奥歯の上面にある線状の模様を描いたり、たばこのヤニによって変色したような歯牙の色調に合わせたり、初期齲蝕で白く脱灰したホワイトスポットや歯面にスジ状に割裂するヘアーライン等を周囲の歯牙の色調に合わせたりすることが行われる。
歯科医師は、歯科用パレット１の蓋部材３をスライドさせて、基台２の上面５を露出させ、若しくは蓋部材３を基台２から取り外す。次いで、基台２のパレット溝６にステイン材を載せ、色調の調整に必要ならば、複数の異なる色調のステイン材を載置し、所望の色調に調整したものを作成する。この際、歯科医師は、自身の手の上に歯科用パレット１（基台２のパレット溝６）があるので、調整作業がしやすくマイクロスコープを使用しても見やすい位置に歯科用パレット１を配置することができる。また、歯科用パレット１の蓋部材３をスライドさせて、基台２の上面５を露出させ、該基台２のパレット溝６にステイン材を載せた場合には、蓋部材３の上面に載せられているコンポジットレジンと、パレット溝６に載せられているステイン材とが近接した状態になり、同一視野中で観察できるため、治療に使用したコンポジットレジンに適した色のステイン材の選定が極めて容易になる。ステイン材の使用を中断するときは、手軽に蓋部材３をスライドさせて、パレット溝６を遮光することができる。
【００１７】
コンポジットレジンの色調調整が終了した後は、患部のコンポジッドレジンにステイン材を塗布する。塗布作業が終了したら、蓋部材３をスライドさせて、パレット溝６を閉塞する。そして、ステイン材に光を照射してそれを光硬化させる。ここで、ステイン材は、歯牙の欠損部に充填したコンポジットレジンを光硬化させる前に塗布し、コンポジットレジンの光硬化と同時に光硬化させても良い。このようにして色調調整したステイン材の硬化面には、さらに透明性の高いコンポジットレジンを保護層として積層して硬化させても良い。パレット溝６に残されたステイン材は、光が遮断されているので、長期の保存が可能となり、再度の使用が可能となる。
なお、使用を繰り返していくうちに、歯科用パレット１の粘着テープ１４の粘着力が弱化した場合は、粘着テープ１４が積層式の場合は、粘着テープ１４を１枚宛剥がすことによって、歯科用パレット１の再度の利用が可能になる。粘着テープ１４が単体のものは、両面テープなどで貼り替えればよい。
【００１８】
このように、本実施形態による歯科用パレット１は、マイクロスコープの焦点の移動を最小限に抑え、歯科医師、歯科技工士などの目の疲労を緩和させることができる。また、使用したコンポジットレジンとステイン材とを同一視野中で観察することが可能になるため、コンポジットレジンに適した色のステイン材の選定が容易になる。さらに、ラテックスグローブの表面に直接ステイン材などを載置させることがないので、衛生的にも良好であり、ステイン材の保存期間も向上させることができる。なお、コンポジッドレジンについては、使用頻度が多いので、例えばそのまま暗室に貯蔵したり、箱状の部材を簡易的に被せるようにして保存し、次の使用に備えることができる。これに対して、ステイン材はコンポジットレジンに比べ、使用頻度が少ないので次に使用するときは長く貯蔵する傾向にある。そのため、本実施形態のようにステイン材を歯科用パレットで光を効果的に遮蔽して長期保存することは、意義がある。
【００１９】
次に、本発明の第２の実施形態について説明する。
本第２の実施形態では、上記第１の実施形態の歯科用パレット１について、基台２の底面に貼着した粘着テープ１４のみ異なっている。それ以外の歯科用パレット１の基台２及び蓋部材３の形状は同じであるので、上記第１の実施形態と同じものは同一符合を付し、詳細な説明は省略する。
図４を参照にして、歯科用パレット１は、基台２と蓋部材３とを備え、基台２の底部には、リング３１が設けられている。リング３１は、基台２の底部と接する面が平坦になっており、基台２を接着剤などで取付けることができる。リング３１は帯状の板材から形成され、端部３１ａ，３１ｂは自由端となっている。
リング３１は、歯科医師または歯科技工士の指に差し込むために設けられており、その大きさは人の指の大きさ程度に形成されている（あるいはラテックスグローブの厚さも考慮）。しかしながら、指の大きさには個人差があるため、端部３１ａ，３１ｂを巻き込んだり、拡げたりすることでその径を、適宜変更できるように形成されている。
【００２０】
このような歯科用パレット１は、リング３１を歯科医師または歯科技工士の指に差し込むことによって、上述したコンポジットレジンやステイン材の色調を調整できる。調整方法については、上記実施形態と同じ手順ですることができる。
こうしたリング付き歯科用パレット１は、歯科医師または歯科技工士が、該歯科用パレット１を身近に備えることによって、効率良く、コンポジットレジンやステイン材の色調の調整作業ができる。また、本実施形態による歯科用パレット１は、マイクロスコープの焦点の移動を最小限に抑え、歯科医師等の目の疲労を緩和させることができる。衛生的にも良好であり、ステイン材の保存期間も向上させることができ、上述した第１の実施形態と同じ効果を奏する。
【００２１】
以上、本発明を実施形態に基づいて添付図面を参照しながら詳細に説明したが、本発明は上記実施形態に限定されるものではなく、本発明の範囲を逸脱することなく、更に他の変形あるいは修正が可能である。
例えば、上記各実施形態では、矩形の歯科用パレット１を説明したが、パレット形状は、円形、楕円形、その他形状であってもよい。ただし、蓋部材がスライドできない形状のものは、蓋部材を基台から取り外して、基台のパレット溝でステイン材を使用することになる。
【図面の簡単な説明】
【００２２】
【図１】本発明の実施形態による歯科用パレットの分解斜視図である。
【図２】図１の歯科用パレットであって、Ａは歯科用パレットの平面図、Ｂは蓋部材をスライド移動させた状態の平面図である。
【図３】図１の歯科用パレットの正面と一側面を除く４面図である。
【図４】本発明の変形例による歯科用パレットの斜視図である。
【符号の説明】
【００２３】
１  歯科用パレット
２  基台
３  蓋部材
５，１１  上面
６  パレット溝
７  フランジガイド部
８  被ガイド部
１０ａ，１０ｂ  側壁
１２ａ，１２ｂ  内向きフランジ
１４  粘着テープ
３１  リング
【図１】
0005334430.tif 000002
【図２】
0005334430.tif 000003
【図３】
0005334430.tif 000004
【図４】
0005334430.tif 000005